(57)【要約】【課題】画面の切り替え操作をしなくとも、保存された一連の録画番組と特定された番組属性による録画番組とから所望の録画番組を検索できるようにする。【解決手段】録画済み番組全てと録画予定番組とのサムネイルと２３を、録画日時について時系列に、渦巻状のθ軸に沿って配列し、このθ軸上の予め決められた位置にフォーカス枠２４を設け、いずれか１つのサムネイル２３がフォーカス（選択）された状態（フォーカスサムネイル２５）とする。また、フォーカスサムネイル２５と同じフォルダに保存される録画番組のサムネイル２６，２７が、フォーカス枠２４で交差するＸ軸に沿って配列表示する。図示しないリモコンの操作により、サムネイル２３の配列をθ軸に沿ってスクロールさせることができ、また、サムネイル２６，２７をＸ軸に沿ってスクロールさせることができ、フォーカスサムネイル２５を希望のサムネイルとすることができる。【選択図】図８
2007096840.tif 000002
【特許請求の範囲】
【請求項１】
録画済み番組と録画予定番組との録画番組のサムネイルを作成して保存し、該サムネイルでもって録画番組検索画面を形成して表示画面に表示する情報閲覧装置において、
保存された全ての該録画番組のサムネイルの第１のサムネイル配列と、該第１のサムネイル配列のうちの１つをフォーカスしてフォーカスサムネイルとするフォーカス枠と、該第１のサムネイル配列と該フォーカス枠の位置で交差し、該フォーカスサムネイルの録画番組と所定の関係がある録画番組のサムネイルの第２のサムネイル配列とからなる該録画番組検索画面を形成して該表示画面に表示する手段と、
該第１，第２のサムネイル配列を夫々、その配列方向にスクロールするための操作手段と
を備えたことを特徴とする情報閲覧装置。
【請求項２】
請求項１において、
前記第１のサムネイル配列は、渦巻状の第１の軸に沿うものであり、前記第２のサムネイル配列は、該第１の軸の１ヵ所と交差する左右方向に伸延した直線状の第２の軸に沿うものであることを特徴とする情報閲覧装置。
【請求項３】
請求項１において、
前記第１のサムネイル配列は、渦巻状の第１の軸に沿うものであり、前記第２のサムネイル配列は、該第１の軸の１ヵ所と交差し、前記表示画面の上辺に対して傾斜した左右方向に伸延する第２の軸に沿うものであることを特徴とする情報閲覧装置。
【請求項４】
請求項３において、
前記表示画面と前記第２のサムネイル配列との間のスペースに、前記フォーカスサムネイルのコンテンツを縮小表示するコンテンツ領域を設けたことを特徴とする情報閲覧装置。
【請求項５】
請求項１〜４のいずれか１つにおいて、
前記操作手段は、録画番組検索画面が表示されている前記表示画面にメニュー画面を表示させる第１の操作部材と、該メニュー画面での前記フォーカスサムネイルの録画番組の属性毎のメニューを選択するための第２の操作部材とを備え、
前記第２のサムネイル列のサムネイルを、該メニュー画面で選択された該属性に応じた録画番組のサムネイルに切り替え可能としたことを特徴とする情報閲覧装置。
【発明の詳細な説明】
【技術分野】
【０００１】
本発明は、ハードディスクやＤＶＤ（Digital Versatile Disc），ＣＤ（Compact Disc）などに記録された複数種類のコンテンツをサムネイル表示し、このサムネイル表示から所望のサムネイルを選択することにより、所望のコンテンツを閲覧することができるようにした情報閲覧装置に関する。
【背景技術】
【０００２】
例えば、録画したＴＶ（テレビ）放送番組（以下、録画番組という）を再生する場合、多くの録画番組から希望する録画番組を選択することができるようにするために、録画番組名などの録画番組の属性を表わす情報（以下、属性情報という）のリストからなる録画番組検索画面を表示する発明が知られている。
【０００３】
かかる録画番組の検索のためには、各録画番組画フォルダに仕分けされており、毎日１回，毎週１回，毎月１回などシリーズで放送される番組については、同じシリーズの録画番組（即ち、番組名が同じＴＶ番組）は同じフォルダに保存される。
【０００４】
図１４はかかる録画番組検索画面の一例を示すものであって、全ての録画番組を検索対象とする検索条件で希望する録画番組を検索できるように、これら録画番組の名称を一覧で表示する検索メニュー「全ての録画番組」や、フォルダに保存されている録画番組を検索対象とすることを検索条件とし、希望する録画番組を保存したフォルダを選択して検索できるように、選択したフォルダ内の録画番組の名称を一覧で表示するフォルダ名の検索メニューを含む初期メニュー画面２００が表示され、カーソル操作によってこれら検索メニューの１つを選択できるようにしている。かかる初期メニュー画面２００で、例えば、検索メニュー「全ての録画番組」を選択すると、図１４（ａ）に示すように、全ての録画番組の属性情報がその録画日時が新しい順に上から下へとリスト表示された全録画番組一覧画面２０１が表示される。かかる全録画番組一覧画面２０１の番組リストから希望する録画番組の属性を選択すると、その希望する録画番組の録画情報（コンテンツ）が表示されることになる。
【０００５】
また、初期メニュー画面２００から希望する録画番組を保存したフォルダ名（この場合、録画番組名）、例えば、録画番組名「海洋の楽園」を選択すると、図１４（ｂ）に示すように、各週毎に放送されたＴＶ放送番組「海洋の楽園」の属性情報のリストがその録画日時が新しい順に上から下へとリスト表示した個別録画番組一覧画面２０２が表示されている。この個別録画番組一覧画面２０２では、図１４（ａ）に示す全録画番組一覧画面に比べ、希望録画日時の録画番組「海洋の楽園」の選択が容易となる。
【０００６】
また、録画番組毎にその特定の画像を縮小したサムネイルを作成し、属性情報のリスト表示の代わりに、図１５に示すように、属性情報を付加したサムネイルをリスト表示した録画番組検索画面を表示する方法も知られている。かかる録画番組検索画面においても、図１４に示す表示方法と同様、初期メニュー画面２００’が表示され、この初期メニュー画面２００’から、全ての録画番組をリスト表示する全録画番組一覧画面とシリーズ番組をリスト表示する個別録画番組一覧画面とを選択することができる。図１５は全録画番組一覧画面２０１’を選択した状態を示している。
【０００７】
このように、コンテンツの名称（属性名）をリスト表示する検索画面としては、例えば、特許文献１に記載されている。
【０００８】
また、保存したコンテンツの検索画面の他の例として、コンテンツの保存順序に時系列でアイコン（サムネイルや文字，絵柄など）を１列に表示するようにした発明も提案されている（例えば、特許文献２参照）。
【０００９】
これは、図１６に示すように、検索画面２０４に各コンテンツのアイコン２０５を縦方向に１列に表示するものである。ここで、このコンテンツアイコン２０５のほぼ中央部に注目領域２０６が固定して設けられており、この注目領域２０６ないには、必ずいずれか１つのコンテンツアイコン２０５が納まっており、この注目領域２０６内のコンテンツアイコン２０５が選択された状態にある。但し、注目領域２０６内では、コンテンツアイコン２０５が表示されているのではなく、このコンテンツアイコン２０５に対するコンテンツが拡大表示されている。
【００１０】
かかるコンテンツアイコン２０５の列は、上下キーを操作することにより、上下方向にスクロールさせることができ、所望のコンテンツアイコン２０５が注目領域２０６内に納まるようにコンテンツアイコン２０５の列を上下スクロールさせることにより、この所望のコンテンツアイコン２０５を選択することができる。  なお、この特許文献２に記載の発明では、検索画面２０４に、さらに、コンテンツが提供されるメディア（記録媒体や放送源，ゲーム機，カメラなど）のアイコン２０７が横方向に１列に表示されており、かかるメディアアイコン２０７の列のほぼ中央部がコンテンツアイコン２０５の列と交差した交差領域２０８が形成されている。この交差領域２０８はメディアアイコン２０７が納まるものであって、この交差領域２０８内のメディアアイコン２０７は選択されたアイコンである。
【００１１】
検索画面２０４で縦方向の列として表示されるコンテンツアイコン２０５は、この交差領域２０８内のメディアアイコン２０７に対するメディアから提供されたものであり、注目領域２０６は交差領域２０８の直下に設定されている。
【００１２】
かかるメディアアイコン２０７の列は、左右キーを操作することにより、左右方向にスクロールし、これにより、注目するメディアアイコン２０７を交差領域２０８に納めるようにすることができる。従って、希望するコンテンツを選択するためには、メディアアイコン２０７の列を左右方向にスクロールさせることにより、この希望するコンテンツを提供したメディアのメディアアイコン２０７が交差領域２０８内には入り込むようにし、しかる後、これによって表示されるこのメディアアイコン２０７に対するコンテンツアイコン２０５の列を上下方向にスクロールさせることにより、希望するコンテンツのコンテンツアイコン２０５が注目領域２０６に納まるようにする。なお、決定操作することにより、注目領域２０６内のコンテンツアイコン２０５に対するコンテンツが画面全体に表示される。
【特許文献１】特開２００４ー２２０４０４
【特許文献２】特開２００５ー７９９８８
【発明の開示】
【発明が解決しようとする課題】
【００１３】
ところで、上記図１４，図１５に示す録画番組検索画面では、希望する録画番組を見つけ出して選択するためには、操作の手間がかかるという問題がある。例えば、図１４の表示方法を例に採ると、いま、図１４（ａ）に示すリスト表示で希望する録画番組を見つけ出すには、非常な手間と時間がかかる。そこで、希望する録画番組の番組名が分かっている場合には、上記の番組名（フォルダ）の一覧からこの番組名を選択して図１４（ｂ）に示す表示状態に移行させばよいが、そのための操作が必要であるし、また、図１４（ｂ）に示す表示状態では、表示される番組名以外にどのように録画番組画あるのか分からず、これを知るためには、やはり上記の番組名（フォルダ）の一覧からメニュー「全ての録画番組」を選択する操作が必要となる。このように、利用の仕方に応じて、リスト表示を切り換えるという操作が必要となる。
【００１４】
また、リストに数多くの録画番組名などの属性やサムネイルを表示しようとすると、属性やサムネイル１つ１つが小さく表示され、非常に見づらいものとなる。そこで、見易くするために、それらを拡大して表示しようとすると、図１７（ａ），（ｂ）に示すように、表示される録画番組名やサムネイルの個数が限られたものとなり、リスト表示から所望の録画番組を探すために、スクロールなどの操作を頻繁に行なわなければならなくなる。
【００１５】
また、上記特許文献２に記載の発明のように、録画番組のサムネイルを上下方向に配列して表示するようにした場合、かかるサムネイルの列を上下方向にスクロールすることにより、希望する録画番組のサムネイルを探し出すことができる。しかし、かかるサムネイルの列が全ての録画番組サムネイルを配列したものであるときには、希望とするシリーズの録画番組を探し出す場合には、各録画番組のサムネイルが混在するサムネイルの列から探すことになり、手間と時間がかかるものである。従って、この場合でも、図１４，図１５で示す従来技術のように、各シリーズの番組毎にサムネイルの列も表示できるようにすることが望ましく、画面の切り替えの操作が必要となる。
【００１６】
本発明の目的は、かかる問題を解消し、画面の切り替え操作をしなくとも、保存された一連の録画番組と特定された番組属性による録画番組とから所望の録画番組を検索できるようにした情報閲覧装置を提供することにある。
【課題を解決するための手段】
【００１７】
上記目的を達成するために、本発明は、録画済み番組と録画予定番組との録画番組のサムネイルを作成して保存し、該サムネイルでもって録画番組検索画面を形成して表示画面に表示する情報閲覧装置であって、保存された全ての該録画番組のサムネイルの第１のサムネイル配列と、該第１のサムネイル配列のうちの１つをフォーカスしてフォーカスサムネイルとするフォーカス枠と、該第１のサムネイル配列と該フォーカス枠の位置で交差し、該フォーカスサムネイルの録画番組と所定の関係がある録画番組のサムネイルの第２のサムネイル配列とからなる該録画番組検索画面を形成して該表示画面に表示する手段と、該第１，第２のサムネイル配列を夫々、その配列方向にスクロールするための操作手段とを備えたことを特徴とするものである。
【００１８】
また、本発明は、第１のサムネイル配列が渦巻状の第１の軸に沿うものであり、第２のサムネイル配列が該第１の軸の１ヵ所と交差する左右方向に伸延した直線状の第２の軸に沿うものであることを特徴とするものである。
【００１９】
また、本発明は、第１のサムネイル配列が渦巻状の第１の軸に沿うものであり、第２のサムネイル配列が該第１の軸の１ヵ所と交差し、表示画面の上辺に対して傾斜した左右方向に伸延する第２の軸に沿うものであることを特徴とするものである。
【００２０】
また、本発明は、表示画面と傾斜した第２のサムネイル配列との間のスペースに、フォーカスサムネイルのコンテンツを縮小表示するコンテンツ領域を設けたことを特徴とするものである。
【００２１】
また、本発明は、操作手段が、録画番組検索画面が表示されている表示画面にメニュー画面を表示させる第１の操作部材と、メニュー画面でフォーカスサムネイルの録画番組の属性毎のメニューを選択するための第２の操作部材とを備え、第２のサムネイル列のサムネイルを、メニュー画面で選択された属性に応じた録画番組のサムネイルに切り替え可能としたことを特徴とするものあである。
【発明の効果】
【００２２】
本発明によると、画面の切り替えを行なうことなく、異なる検索条件での検索が可能であって、希望する録画番組の検索操作の手間を軽減できる。
【発明を実施するための最良の形態】
【００２３】
以下、本発明の実施形態を図面を参照しながら説明する。
【００２４】
図１は本発明による情報閲覧装置の一実施形態を示すブロック図であって、１はＣＰＵ（Central Processing Unit：中央処理ユニット）、２は表示部、３は入力部、４はディスクドライブ、５はハードディスク、６はチューナ、７はカメラ読取部、８はインターネット通信部、９はリモコン入力部、１０はＥＰＧ（Electronic Program Guide：電子番組ガイド）領域、１１はライブラリ、１２はファイル、１２ａは番組情報、１２ｂはコンテンツ、１３ｃはサムネイルである。
【００２５】
同図において、この実施形態の情報閲覧装置は、ＴＶ番組の受信やＣＤ（Compact Disk），ＤＶＤ（Digital Versatile Disc）などのディスクからのデータの取り込み、携帯型カメラからのデータの取り込み、パソコンなどの機能を備えたものである。この情報閲覧装置では、入力部３でのキーボードやマウスの操作により、あるいは後述するリモコンの操作による指令信号がリモコン入力部９から入力されることにより、ＣＰＵ１が各部の制御や各種処理を行なう。
【００２６】
ＴＶ番組や音声番組のデータはチューナ６で受信され、表示部２で表示される。また、入力部３やリモコンの操作により、受信されたＴＶ番組や音声放送番組のデータはハードディスク５に録画，記録することができ、夫々がハードディスク５で１つのファイルとしてフォルダに登録・保存される。また、録画予約がなされているＴＶ番組も、その予約日時になると、チューナ６で受信され、ハードディスク５で１つのファイルとしてフォルダに登録・保存される。また、ＴＶ番組のデータと同時に（即ち、ＴＶ信号の垂直帰線期間などに付加されて）受信される番組情報は、ハードディスク５のＥＰＧ領域１０に保存される。
【００２７】
また、カメラ読取部７が設けられており、これに携帯型カメラ（ビデオカメラやデジタルのスチルカメラなど）を直接接続し、この携帯型カメラに内蔵されているカード状メモリに記録されている画像データ（動画データや静止画データ）を読み取ることもできるし、また、このカード状メモリを携帯型カメラから抜き取り、これをカメラ読取部７に装着することにより、このカード状メモリに記録されている画像データを読み取ることもできる。この読み取られた画像データは、ハードディスク５に１つのファイルとしてフォルダに登録・保存される。さらに、カメラ付きの携帯電話機で撮影して内蔵のメモリに記録した画像データ（写真）も、カメラ読取部７から読み取ることができ、同様にして、ハードディスク５に１つのファイルとしてフォルダに登録・保存される。
【００２８】
さらに、通信部８はインターネット通信をするためのものであり、インターネットを介してこの通信部８で取得したインターネットデータも、ハードディスク５で１つのファイルとしてフォルダに登録・保存され、ディスクドライブ４でＣＤやＤＶＤから取得した画像データや音声データも、ハードディスク５で１つのファイルとしてフォルダに登録・保存される。
【００２９】
以上のように、この情報閲覧装置では、各画像情報や音声情報などを保存し、これを閲覧可能とするものであるが、この実施形態は、特に、ＴＶ番組の閲覧について特徴をなすものであり、以下、この閲覧について説明する。
【００３０】
以上のフォルダがハードディスク５でライブラリ１１に登録されると、そのフォルダに保存されているファイルが情報閲覧のために利用できるようになる。ライブラリ１１に登録済みのフォルダに保存されている録画予定番組や録画済み番組毎のファイル１２は、それらの番組情報１２ａやコンテンツ（番組内容）１２ｂやサムネイル１２ｃから構成されている。コンテンツ１２ｂは録画済み番組の番組内容、即ち、映像データ自体のことである。番組情報１２ａは、属性情報などの録画予定番組や録画済み番組に関する情報やコンテンツ１２ｂ，サムネイル１２ｃと関連付ける情報など構成されている。番組情報１２ａには、録画予定番組や録画済み番組のファイル名が付加されるが、このファイル名はやコンテンツ１２ｂやサムネイル１２ｃに付加された識別子（図示せず）と対応付けられており、これにより、番組情報１２ａと該当するコンテンツ１２ｂ，サムネイル１２ｃとが対応付けられている。
【００３１】
サムネイル１２ｃは、そのファイル名に対応するコンテンツ１２ｂの代表となる画像を縮小したものであり、後述するサムネイル画面に表示されるものである。
【００３２】
なお、サムネイル１２ｃは、必ずしもコンテンツ１２ｂの一部の画像である必要はなく、そのコンテンツを表わすものであればよい。例えば、絵，記号，文字やこれらの組み合わせのもの、または、アイコンであってもよい。この実施形態においては、これらを、総称して、「サムネイル」という。
【００３３】
また、同じシリーズのＴＶ番組のファイルは同じフォルダに登録・保存され、シリーズではない単発のＴＶ番組のファイルは、フォルダに保存されない。しかし、ここでは、夫々が別々のファルダに保存されているように取り扱うことにする。
【００３４】
図２はライブラリ１１に保存される番組情報１２ａのうちの録画済み番組情報１３の一具体例を示す図である。
【００３５】
同図において、かかる録画済み番組情報１３としては、録画順に録画済み番組に割り当てる録画番組ＩＤ１３ａ、録画済み番組の放送チャンネル１３ｂ，番組名１３ｃ，録画開始日１３ｄ，録画開始時刻１３ｅ，録画済み番組のジャンル１３ｆ，関連予約ＩＤ１３ｇ，録画済み番組のコンテンツが保存される保存フォルダ１３ｈ，録画データインデックス１３ｉ，サムネイルアイコンインデックス１３ｊ，その他１３ｋからなるものである。かかる紹介情報１２ａは録画済み番組毎に作成されるものであり、録画開始日が早い順に、また、録画開始時刻が早い順に配列されている。図２はこの順に示すものである。
【００３６】
ここで、録画済み番組のジャンルとしては、ニュース，ドキュメント，映画，バラエティ，スポーツ，ドラマなどがある。関連予約ＩＤ１３ｇは録画予約のときに割り当てられるＩＤであって、シリーズもののＴＶ番組のような互いに関連性がある録画予約番組や録画済み番組（例えば、番組名「ビジネストレンド」）には、同じ関連予約ＩＤ１３ｇが割り当てられる。保存フォルダ１３ｈは、録画済み番組が保存されるフォルダの名称を表わすものであって、同じ関連予約ＩＤ１３ｇが割り当てられた録画済み番組は、同じフォルダに保存されるから、同じ保存フォルダ１３ｈが割り当てられる。録画データインデックス１３ｉは、この録画番組情報１３とこの録画済み番組のコンテンツ（番組内容）とを関連付けるものである。サムネイルアイコンインデックス１３ｊは、紹介情報１２ａとしてのサムネールのうちで、該当するサムネイルを指定するものである。サムネイルにも、これと同じサムネイルアイコンインデックス１３ｊが割り当てられている。その他１３ｋとしては、録画済み番組を録画した「曜日」，「録画終了時刻」，「出演者」，「画質」，「あらすじ」，「長さ」などである。「曜日」，「録画終了時刻」，「出演者」，「画質」，「あらすじ」の情報はＥＰＧ領域１０（図１）に保存される番組情報から取得したものである。「長さ」の情報は、録画済み番組の長さを表わすものであり、１時間の録画時間を「１：００」で表わしている。
【００３７】
図３は番組情報１２ａのうちの録画予約に関する番組情報を一具体例として示す図である。
【００３８】
図３（ａ）はＴＶ番組の録画予約状況を示す録画予約情報１４の一具体例を示す図であって、ＥＰＧ領域１０（図１）に保存される番組情報を利用してユーザが入力部３から録画予約するＴＶ番組毎に入力したものであり、ハードディスク５の所定のメモリ領域に保存される。この予約録画情報１４は、録画予約するＴＶ番組毎に予約入力順に付与される予約ＩＤ１４ａ，チャンネル１４ｂ，番組名１４ｃ，録画開始日１４ｄ，毎週録画する場合の録画曜日１４ｅ，録画開始時刻１４ｆ，録画予約番組のジャンル１４ｇ，この録画予約番組が録画されるときに保存される録画先フォルダ１４ｈ，その他１４ｉなどの情報からなっている。
【００３９】
ここで、予約ＩＤ１４ａは、番組毎に録画予約順に付加するものであるが、シリーズもののＴＶ番組には、同じ予約ＩＤ１４ａが付加される。例えば、チャンネル１４ｂが「１」、即ち、チャンネル１の番組名１４ｃが「ビジネストレンド」のＴＶはシリーズものの番組であって、先にこのＴＶ番組が録画予約されており（録画されているものもある）、この先に録画予約されたこのＴＶ番組と同じ「Ｒ−００４」の予約ＩＤが付与されることになる。チャンネル１０のＴＶ番組「海洋の楽園」についても同様である。シリーズものでないＴＶ番組に対しては、それが予約されたときの順位に応じた予約ＩＤ１４ａが付与される。チャンネル４の「午後の映画館『華の嵐』」，チャンネル６の「火曜ムービーシアター」がこれに該当する。
【００４０】
また、録画開始日１４ｄは、シリーズもののＴＶ番組であって、毎週決まった曜日に放送される場合には、「毎週」とし、曜日１４ｅにその放送曜日を指定する。毎日決まった時刻に放送されるＴＶ番組，毎月決まった日にちに放送されるＴＶ番組についても、同様である。シリーズものではないＴＶ放送を録画予約する場合には、録画開始日１４ｄを実際に放送される日とする。同じシリーズもののＴＶ番組の録画予約番組情報１４では、チャンネルや番組名，ジャンルなどが同じで、かつ同じ録画先フォルダ１４ｈが割り当てられる。これにより、シリーズものの録画予約番組が、これと同じシリーズの録画済み番組のフォルダと関連付けられることになる。
【００４１】
図３（ｂ）は図３（ａ）に示す録画予約番組のうちの次に録画が予定されているＴＶ番組（録画予定番組）についての録画予定番組情報１５を一具体例として示す図である。
【００４２】
図３（ａ）に示す録画予約番組情報１４を基に、次に録画が予定される録画予約番組を録画予定番組として選択し、選択した各録画予約番組毎に、図３（ｂ）に示す録画予定番組情報１５を作成し、これを番組情報１２ａとしてライブラリ１１に保存する。また、録画予定番組毎に、番組名やチャンネル番組などの属性情報をもとに、文字などによるサムネイルが作成される。ここで、図３（ａ）に示す録画予約情報が作成された録画予約番組のうちで、シリーズものでない録画予約番組は全て、図３（ｂ）に示す録画予定番組情報１５が作成された録画予定番組となるが、シリーズものの録画予約番組の場合には、そのうちの現時点に近く録画が予定されている録画予約番組のみが録画予定番組となる。
【００４３】
かかる録画予定番組情報１５は、各録画予定番組毎に、録画予定番組となった順に付与される録画予定番組ＩＤ１５ａ，チャンネル１５ｂ，番組名１５ｃ，録画開始日１５ｄ，曜日１５ｅ，録画開始時刻１５ｆ，ジャンル１５ｇ，関連予約ＩＤ１５ｈ，録画先フォルダ１５ｉ，上記のように作成された文字などからなるサムライルを指定するサムネイルアイコンインデックス１５ｊ，その他１５ｋなどの各情報から構成されている。ここで、チャンネル１５ｂ，番組名１５ｃ，曜日１５ｅ，録画開始時刻１５ｆ，ジャンル１５ｇ，録画先フォルダ１５ｉ，その他１５ｊの情報は、図３（ａ）に示す録画予約情報１４から取得したものである。録画開始日１５ｄの情報は、シリーズものでない録画予約番組（例えば、チャンネル４の「午後の映画館『華の嵐』」）については、図３（ａ）に示す録画予約情報１４から取得するが、シリーズものの録画予約番組については、現時点に最も近い録画開始日を表わしている。また、関連予約ＩＤ１５ｈの情報は、図３（ａ）に示す録画予約情報１４での予約ＩＤ１４ａの情報である。これにより、同じシリーズものの他の録画済み番組との関連性が明確化される。また、録画先フォルダ１５ｉにより、シリーズものの録画予約番組の情報１５がこれと同じシリーズの録画済み番組のフォルダと関連付けられることになる。
【００４４】
録画予定番組が録画され、録画済み番組となると、この録画済み番組のコンテンツ１２ｂがライブラリ１１に保存され、また、録画予定番組情報１５をもとに、この録画済み番組の録画番組情報１３（図１２）が作成され、ライブラリ１１に番組情報１２ａとして保存される。ここで、録画番組情報１３では、録画予定番組情報１５の録画予定番組ＩＤ１５ａの代わりに録画番組ＩＤ１３ａが付与され、録画先フォルダ１５ｉが保存フォルダ１３ｈとなり、この録画済み番組のコンテンツを指示する録画データインデックス１３ｉが付加される。また、この録画済み番組に対して、その画像からサムネイル１２ｃが作成され、これがライブラリ１１保存されるが、録画番組情報１３のサムネイルアイコンインデックス１３ｊがこのサムネイルをこの録画番組情報１３に関連付けている。
【００４５】
なお、図２に示す録画番組情報１３には、図３に示す録画予約情報１４や録画予定番組情報１５と同様、放送する「曜日」の情報も含むものであるが、図２では、上記のように、その他の情報１３ｋとしている。
【００４６】
このように、録画済み番組毎に番組情報１２ａとコンテンツ１２ｂとサムネイル１２ｃとで１つのファイル１２が形成され、同じシリーズものの録画済み番組のファイル１２は同じフォルダに登録・保存される。
【００４７】
図４はフォルダでの録画済み番組の登録情報を模式的に示す図である。
【００４８】
同図において、「ビジネストレンド」は毎週木曜日に放送されるシリーズもののＴＶ番組であり、これら番組のファイル１２は全て同じフォルダ、即ち「ビジネストレンド」フォルダ１６ａに保存されている。また、毎週水曜日に放送されるシリーズもののＴＶ番組「海洋の楽園」も、それらのファイル１２が同じフォルダ１６ｂに登録・保存される。これらＴＶ番組は、図３（ａ）に示したように、「放送開始日」１４ｄを「毎週」として録画予約したものであり、これにより、毎週録画されてフォルダ１６ａに保存される。
【００４９】
ＴＶ番組「火曜ムービーシアター」は、毎週月曜日に放送されるシリーズものの番組であるが、図３で示すように、録画開始日１４ｄとしては、録画予約を「毎週」とするものではなく、希望したときに録画予約したものである。このように録画予約した場合も、このＴＶ番組「火曜ムービーシアター」のファイル１２は同じフォルダ１６ｃに登録・保存される。
【００５０】
シリーズものではない録画済み番組「全国野球大会  決勝」，「国際サッカー  決勝」，「全国ゴルフ大会  最終日」などは、フォルダに登録されずに保存されている。
【００５１】
なお、図３（ｂ）に示す録画予約番組の録画予定番組情報１５は、フォルダに保存されないが、シリーズものの録画予約番組については、録画先フォルダ１５ｉの情報により、同じシリーズの録画済み番組のファイルが保存されているフォルダと関連付けられている。従来では、録画予約番組情報と録画済み番組情報とは別々に管理されており、また、同じシリーズもののＴＶ番組であっても、録画予約番組情報には、録画済み番組情報が保存されているフォルダとの関連も示されていない。これに対し、この実施形態では、同じシリーズもののＴＶ番組については、録画予約番組情報には、録画済み番組情報が保存されているフォルダを表わす録画先フォルダ１５ｉ（図３（ｂ））も設けられているので、後述するように、録画済み番組や録画予定番組の録画番組検索画面に、録画済み番組のサムネイルとともに、録画予定番組のサムネイルも同時に表示させることができ、録画済み番組と録画予定番組とを同じ検索画面で検索することが可能となる。
【００５２】
次に、この実施形態での録画済み番組や録画予定番組の録画番組検索画面の表示方法について説明するが、まずは、かかる検索画面を操作するリモコン（リモートコントローラ）について説明する。
【００５３】
図５（ａ），（ｂ）は夫々図１に示す情報閲覧装置に用いられるリモコンの具体例の概略構成図であって、１７ａ，１７ｂはリモコン、１８Ｕは上方向キー、１８Ｄは下方向キー、１８Ｒは右方向キー、１８Ｌは左方向キー、１９は決定キー、２０は送信部、２１はホイールである。
【００５４】
リモコンには、図１に示す情報閲覧装置の各種操作を行なうための操作キーが設けられているが、その１つとして、図５（ａ）に示すリモコン１７ａでは、決定キー１９の周りに、方向キーとしての上方向キー１８Ｕと下方向キー１８Ｄと右方向キー１８Ｒと左方向キー１８Ｌとが設けられている。これら方向キー１８Ｕ，１８Ｄ，１８Ｒ，１８Ｌや決定キー１９は、情報閲覧装置がライブラリ１１に保存されているファイル１２を検索するモードにあるときには、後述するように、表示部２でのサムネイルを用いた後述の録画済み番組や録画予定番組の録画番組検索画面の表示制御機能を備えるものである。
【００５５】
このリモコン１７ａの操作キーのいずれかを操作すると、かかる操作に応じた指令が送信部１７から赤外線情報として図１に示すリモコン入力部９に送信される。情報閲覧装置では、かかる赤外線情報を受信すると、ＣＰＵ１がその指令に応じた各部の制御や所定の処理を行ない、この指令に応じた動作を行なう。
【００５６】
図５（ａ）に示すリモコン１７ａにおいて、図示しないメニューキーを操作すると、図示しないが、図１における表示部２の表示画面にメニュー画面が表示され、このメニュー画面から情報閲覧装置で設定可能の各種のモードを選択することができる。メニュー画面からのモードの選択は、リモコン１７ａでの方向キー１８Ｕ，１８Ｄ，１８Ｒ，１８Ｌや決定キー１９の操作によって行なわれるが、このモードの１つとして、情報閲覧モードが選択されると、表示部２の表示画面にサムネイルによる録画番組検索画面が表示され、リモコン１７ａでの方向キー１８Ｕ，１８Ｄ，１８Ｒ，１８Ｌや決定キー１９を操作することにより、所望の録画番組のコンテンツを検索することができる。
【００５７】
図５（ｂ）に示すリモコン１７ｂは、さらに、方向キー１８Ｕ，１８Ｄ，１８Ｒ，１８Ｌの周りに環状のホイール２１を設けたものである。このホイール２１は方向キー１８Ｕ，１８Ｄ，１８Ｒ，１８Ｌの周りを回転操作できるものであって、かかる回転操作により、後述するように、録画番組検索画面での検索操作を行なうことができる。これ以外は、図５（ａ）に示すリモコン１７ａと同様である。
【００５８】
次に、この情報閲覧装置の実施形態での録画番組を閲覧するための情報閲覧モードについて説明する。
【００５９】
この実施形態では、既に録画されたＴＶ番組、即ち、録画済み番組ばかりでなく、これから録画される予定の番組、即ち、上記の録画予定番組をも閲覧対象とするものである。即ち、図２に示す録画番組情報１３が保存されている録画済み番組のサムネイルと図３（ｂ）に示す録画予定番組情報１５が保存されている録画予定番組のサムネイルとにより、ＣＰＵ１（図１）が録画番組検索情報を作成し、これを表示部（図１）に表示し、リモコンなどの操作により、この録画番組検索情報から希望する録画番組を検索するものであるが、この録画番組検索画面は、かかるサムネイルの配列からなるものである。
【００６０】
ところで、図２及び図３（ｂ）に示す録画番組（即ち、録画済み番組と録画予定番組）をサムネイルでもって時系列的に配列すると、そのサムネイルの配列順序は図６に示すようになる。図６では、時間の経過は下から上方に矢印向かうものであり、現時点ｔ0よりも下側の番組が既に録画された録画済み番組のサムネイル、現時点ｔ0よりも上側がこれからの録画が予定されている録画予定番組のサムネイルである。これらサムネイルは図２と図３（ｂ）に基づくものである。
【００６１】
なお、後述する録画番組検索画面でのサムネイルの配列を明確にするために、図６において、下から順にサムネイルＡ，Ｂ，Ｃ，……として、各サムネイルに符号を付すことにする。ここでは、録画済み番組のサムネイルはサムネイルＡ〜Ｐであり、録画予定番組のサムネイルはサムネイルＱ〜Ｔである。
【００６２】
図７は図１における表示部２で表示される録画番組検索画面でのサムネイル配列表示方法の第１の実施形態を示す図であって、２２は表示部２の表示画面、２３は全録画済み番組と録画予定番組とのサムネイル、２４はフォーカス枠、２５はフォーカスサムネイル、２６は同じフォルダに保存されている録画済みの番組のサムネイル、２７は録画予定番組のサムネイルである。
【００６３】
同図において、この実施形態では、表示部２（図１）の表示画面２２に、上下方向のＹ軸に沿って、全ての録画番組（即ち、録画済み番組と録画予定番組）のサムネイル２３が時系列に配列表示される。このサムネイル２３の配列では、下から上に向かって録画日時（放送日時）順になっている。この例では、下から順にサムネイルＪ，Ｋ，Ｌ，Ｍが表示されている部分を示している。このサムネイル２３の配列は、希望する録画番組を検索するための検索対象を全ての録画番組とするという検索条件に対するものである。
【００６４】
かかるサムネイル２３の上下方向の配列中、所定の位置（ここでは、上から２番目のサムネイル２３の表示位置）にフォーカス枠２４が固定表示されており、このフォーカス枠２４内のサムネイル２３（かかるサムネイルを、以下、フォーカスサムネイル２５という。ここでは、サムネイルＬがこれに該当する）がフォーカス（選択）された状態にある。従って、かかる状態で図５（ａ）に示すリモコン１７ａでの決定キー１９を操作すると、このサムネイルＬのフォーカスが決定され、このサムネイルＬの録画済み番組のコンテンツ（番組内容の映像）が画面表示されることになる。
【００６５】
また、図７に示す表示状態で図５（ａ）に示すリモコン１７ａの上方向キー１８Ｕを操作すると、サムネイル２３の配列は上方向にスクロールし、下方向キー１８Ｄを操作すると、サムネイル２３の配列は下方向にスクロールする。これにより、所望とするサムネイル２３をフォーカス枠２４内に入れてフォーカスした状態とすることができる。
【００６６】
なお、図示しないが、縦方向のサムネイル２３の配列の情報には、図６に示す録画予定番組のサムネイルＱ，Ｒ，Ｓ，Ｔ，……が配列されている。従って、かかるサムネイル２３もフォーカスさせることができる。
【００６７】
フォーカス枠２４によってフォーカスされたサムネイル２３に対しては、このサムネイル２３がシリーズものの録画済み番組（即ち、ファイル１２（図１）がライブラリ１１に設定されているフォルダに保存されている録画済み番組）のサムネイルである場合、このフォーカスされたサムネイル２３の録画済み番組のフォルダに保存されている全ての録画済み番組のサムネイル２６が、フォーカス枠２４でＹ軸と交差するＸ軸に沿って左右方向に配列表示される。この配列では、フォーカスされているサムネイル２５も含めて、同じフォルダのサムネイル２６が録画日時に関して時系列順に配列されており、左方に表示されるサムネイル２６ほど録画日時が遅いものであって、録画予定番組のサムネイル２７はかかる列の左側に配列されていることになる。
【００６８】
このサムネイル２６の配列は、希望する録画番組を検索するための検索対象をフォーカスサムネイル２５の録画済み番組と同じフォルダに関連する全ての録画番組（即ち、録画済み番組と録画予定番組）とするという検索条件に対するものである。
【００６９】
図示する例の場合、フォーカスサムネイル２５は番組「海洋の楽園」のサムネイルＬであり、これと同じフォルダに保存されているサムネイル２６は、図６により、サムネイルＥ，Ｉ，Ｌ，Ｏ、これと同じシリーズの録画予定番組のサムネイル２７は、図６により、サムネイルＲであるから、右側からＥ，Ｉ，Ｌ，Ｏ，Ｒの順でサムネイルがＸ軸に沿って右側から左側に配列される。
【００７０】
Ｙ軸に沿うサムネイル２３の配列を上下方向にスクロールし、フォーカスサムネイル２５を変化させると、このフォーカスサムネイル２５のフォルダが変化した場合には、このＸ軸に沿って配列されるサムネイル２６，２７も変化する。例えば、番組「ビジネストレンド」のサムネイルＫがフォーカスサムネイル２５になったとすると、図６により、フォーカスサムネイル２５から右側では、このフォーカスサムネイル２５から順にサムネイルＦ，Ｄ，……が配列され、フォーカスサムネイル２５から左側では、このフォーカスサムネイル２５から順にサムネイルＭ，Ｐ，Ｔが配列されることになる。
【００７１】
図５（ａ）に示すリモコン１７ａの右方向キー１８Ｒを操作すると、同じフォルダのサムネイル２６の配列は右方向にスクロールし、左方向キー１８Ｌを操作すると、サムネイル２６の配列は左方向にスクロールする。これにより、同じシリーズの他の録画済み番組のサムネイル２６や録画予定番組のサムネイル２７をフォーカス枠２４内に入れてフォーカスした状態とすることができる。なお、このように左右方向のサムネイルの配列をスクロールした場合には、Ｙ軸に沿う上下方向のサムネイル２６の配列も上下し、いずれのサムネイル２６，２７がフォーカスサムネイル２５となっても、上下方向のサムネイル２３の配列が、このフォーカスサムネイル２５も含めて、録画日時に応じて時系列に配列されるようにする。例えば、サムネイルＯがフォーカスサムネイル２５となった場合には、図６により、フォーカスサムネイル２５から上側では、このフォーカスサムネイル２５から順にサムネイルＰ，Ｑ，……が配列され、フォーカスサムネイル２５から下側では、このフォーカスサムネイル２５から順にサムネイルＮ，Ｍ，……が配列されることになる。
【００７２】
このようにして、このサムネイル配列表示方法の第１の実施形態では、録画予定番組を含めて全ての録画済み番組のサムネイルが縦方向（上下方向）に配列されて表示され、そのうちのフォーカスされたサムネイルについては、これと同じフォルダに保存されている全ての録画済み番組のサムネイルが横方向（左右方向）に、フォーカス枠２４の位置で交差するように、配列表示されるものであるから、全ての録画済み番組や録画予定番組のサムネイルからの番組検索と、同じフォルダに保存される同じシリーズもののサムネイルからの番組検索とを画面を切り替えずに行なうことができ、同じ画面でのスクロール操作によって所望の番組のサムネイルをフォーカスさせることができるので、所望録画済み番組や録画予定番組の検索のための操作が大幅に軽減されることになる。
【００７３】
図８は図１における表示部２の表示画面２２で表示される録画番組検索画面でのサムネイル配列表示方法の第２の実施形態を示す図であって、図７に対応する部分には同一符号を付けている。
【００７４】
同図において、この実施形態では、全ての録画済み番組及び録画予定番組を検索対象とする検索条件について、それらのサムネイル２３を渦巻状のθ軸に沿って配列するようにしたものである。このサムネイル２３の配列の渦巻は、図示するように、その中心から拡がる方向に時間が経過するものであり（即ち、録画日時が遅いものであり）、フォーカスサムネイル２５から離れているサムネイル２３（録画日時が早いもの）ほど渦巻の中心部に近い位置に配置され、かつ小さく縮小されて表示される。
【００７５】
そして、この渦巻状のθ軸上の予め決められた位置にフォーカス枠２４が設けられており、θ軸に沿って配列されるサムネイルのうちの１つは、このフォーカス枠２４内に納められてフォーカス（選択）されているフォーカスサムネイル２５となっている。ここでは、フォーカスサムネイル２５を番組「ビジネストレンド」のサムネイルＰとしている。
【００７６】
また、フォーカス枠２４でこのθ軸と交差する左右方向のＸ軸に沿って、図７に示す録画番組検索画面でのサムネイル配列表示方法の第１の実施形態と同様、フォルダ内の録画番組を検索対象とする検索条件に基づいて、フォーカスサムネイル２５の録画済み番組と同じフォルダに保存されている録画済み番組のサムネイル２６が配列表示される。ここでは、フォーカスサムネイル２５が番組「ビジネストレンド」のサムネイルＰであるから、このＸ軸に沿って配列されるサムネイル２６，２７は、図示するように、右側から……，Ｋ，Ｍ，Ｐ，Ｔとなる。
【００７７】
図５（ａ）に示すリモコン１７ａの上方向キー１８Ｕを操作すると、θ軸に沿うサムネイル２３の配列が、このθ軸に沿って反時計廻り（左廻り）方向に進むように、スクロールし、フォーカス枠２４でみると、上方向にスクロールする。これにより、下側にあるサムネイル２３が順次上方向に移動して、フォーカスサムネイル２５に入れ替わることになる。また、図５（ａ）に示すリモコン１７ａの下方向キー１８Ｄを操作すると、θ軸に沿うサムネイル２３の配列が、このθ軸に沿って時計廻り（右廻り）方向に進むように、スクロールし、フォーカス枠２４でみると、下方向にスクロールする。これにより、上側にあるサムネイル２３が順次下方向に移動してフォーカスサムネイル２５に入れ替わることになる。
【００７８】
図９は図８に示す表示状態でリモコン１７ａの上方向キー１８Ｕを操作して１サムネイル分左回り方向にスクロールさせた状態を示す図である。
【００７９】
図９に示す状態では、θ軸に沿うサムネイル２３の配列での録画済み番組「海洋の楽園」のサムネイルＯがフォーカス枠２４によってフォーカスサムネイル２５となっており、Ｘ軸に沿うサムネイル２６，２７の配列が「海洋の楽園」フォルダに保存されているサムネイルの配列に変更されている。ここでは、フォーカスサムネイル２５がサムネイルＯであるから、図６により、右側から順に……，Ｉ，Ｌ，Ｏ，ＲがＸ軸に沿って配列表示される。
【００８０】
また、図７に示す第１の実施形態と同様、図９に示す表示状態でリモコン１７ａの右方向キー１８Ｒを操作すると、Ｘ軸に沿うサムネイル２６，２７の列はＸ軸に沿って右方向にスクロールし、リモコン１７ａの左方向キー１８Ｌを操作すると、Ｘ軸に沿うサムネイル２６，２７の列はＸ軸に沿って左方向にスクロールする。
【００８１】
図１０は図９に示す表示状態でリモコン１７ａの左方向キー１８Ｌを操作して１サムネイル分左方向にスクロールさせた状態を示す図である。
【００８２】
図１０に示す状態では、上記のスクロールにより、録画済み番組「海洋の楽園」のサムネイルＬがフォーカスサムネイル２５となっており、Ｘ軸に沿う録画済み番組「海洋の楽園」のサムネイルが、図９の状態に対し、１つ分左方向にずれた状態にある。
【００８３】
かかるスクロールに対し、この第２の実施形態においても、第１の実施形態と同様、このサムネイルＬがフォーカスサムネイル２５となるように、図９に示す状態からサムネイル３個分θ軸に沿って左回り方向にスクロールする。
【００８４】
なお、この第２の実施形態においても、図５（ａ）に示すリモコン１７ａの決定キー１９を操作することにより、フォーカスサムネイル２５を決定してそのコンテンツを表示画面２２全体で表示させることができる。
【００８５】
このようにして、このサムネイル配列表示方法の第２の実施形態においても、図８に示す第１の実施形態と同様、録画予定番組を含めて全ての録画番組のサムネイルとフォーカスサムネイルと同じフォルダに保存されている全ての録画済み番組のサムネイルとが、フォーカス枠２４の位置で交差するように、配列表示されるものであるから、全ての録画済み番組や録画予定番組のサムネイルからの番組検索と、同じフォルダに保存される同じシリーズもののサムネイルからの番組検索とを画面を切り替えずに行なうことができ、同じ画面でのスクロール操作によって所望の番組のサムネイルをフォーカスさせることができるので、所望録画済み番組や録画予定番組の検索のための操作が大幅に軽減されるという効果が得られるとともに、前録画済み板愚みと録画予定番組とのサムネイル２３とを渦巻状に配列して表示するものであるから、表示部２の表示画面２２の画面全体を有効に利用してより多くのサムネイルを表示することができ、スクロールせずに表示できるサムネイルの個数を多くできて操作の手間をより軽減できる。
【００８６】
図１１は図１における表示部２の表示画面２２で表示される録画番組検索画面でのサムネイル配列表示方法の第３の実施形態を示す図であって、２８はメニュ画面、２９はカーソル枠であり、図８〜図１０に対応する部分には同一符号を付けて重複する説明を省略する。
【００８７】
この第３の実施形態は、図８〜図１０に示す第２の実施形態と同様に、渦巻状に（即ち、θ軸に沿って）全録画済み番組と録画予定番組とのサムネイルを表示し、フォーカスサムネイルの録画済み番組と同じフォルダの録画番組及びその録画予定番組のサムネイルを渦巻とフォーカス枠で交差する左右方向のＸ軸に沿って表示するものであるが、かかるサムネイルの配列表示の録画番組検索画面を図５（ｂ）に示すリモコン１７ｂで操作できるようにしたものである。
【００８８】
図１１において、ここでは、θ軸，Ｘ軸を図示しないが、これらは図８〜図１０と同様である。
【００８９】
サムネイルＥ，Ｉ，Ｌ，Ｏ，Ｒで示すＸ軸に沿うサムネイル２６，２７の配列は、図５（ｂ）で示すリモコン１７ｂの左方向キー１８Ｌ，右方向キー１８Ｒの操作により、第２の実施形態と同様、左右方向にスクロールするが、サムネイルＣ〜Ｍで示す渦巻状のθ軸に沿うサムネイル２３の配列は、図５（ｂ）で示すリモコン１７ｂのホイール２１を回転操作することにより、時計廻り方向，反時計廻り方向にスクロールする。従って、かかる左方向キー１８Ｌ，右方向キー１８Ｒとホイール２１との操作により、図８〜図１０に示す第２の実施形態と同様、所望の録画済み番組あるいは録画予定番組のサムネイルをフォーカスされる（選択する）ことができる。
【００９０】
この第３の実施形態では、図５（ｂ）に示す上方向キー１８Ｕあるいは下方向キー１８Ｄを操作すると、図１１に示すように、メニュー画面２８が表示される。このメニュー画面２８には、ＴＶ番組の属性に応じてＸ軸方向に配列するサムネイルを決めることができるようにしたメニューが設けられている。例えば、フォーカスサムネイル２５と同じ番組名の録画番組（録画済み番組と録画予定番組）のサムネイルを配列させるためのメニュー「同じ名前の番組」，図８〜図１０で説明したように、フォーカスサムネイル２５と同じフォルダの録画番組のサムネイルを配列させるためのメニュー「同じフォルダの番組」，フォーカスサムネイル２５と同じジャンル（図２，図３）の録画番組のサムネイルを配列させるためのメニュー「同じジャンルの番組」，フォーカスサムネイル２５と同じ出演者の録画番組のサムネイルを配列させるためのメニュー「同じ人が出演している番組」，フォーカスサムネイル２５と同じチャンネルの録画番組のサムネイルを配列させるためのメニュー「同じチャンネルの番組」，フォーカスサムネイル２５と同じ自動予約条件の録画番組のサムネイルを配列させるためのメニュー「同じ自動予約条件で録画された番組」，フォーカスサムネイル２５と同じ日に録画された録画番組のサムネイルを配列させるためのメニュー「同じ日に録画された番組」などのメニューが設けられる。
【００９１】
かかるメニュー画面２８では、所望とするメニューを選択するための枠状のカーソル、即ち、カーソル枠２９が表示されており、図５（ｂ）に示すリモコン１７ｂの上方向キー１８Ｕ，下方向キー１８Ｄを操作することにより、上下方向に移動させことができる。
【００９２】
ここで、リモコン１７ｂの上方向キー１８Ｕ，下方向キー１８Ｄを操作してカーソル枠２９を上下移動させ、メニュー「同じ人が出演している番組」を選択してリモコン１７ｂの決定キー１９を操作すると、図１２に示すように、フォーカスサムネイルＬと出演者と同じ出演者の録画番組のサムネイルが、先の実施形態と同様、録画日時順にＸ軸方向に沿って配列表示される。ここでは、１例として、右から順にサムネイルＢ，Ｉ，Ｌ，Ｎ，Ｑが配列されて表示される。他のメニューを選択した場合も、同様である。
【００９３】
このように、この第３の実施形態では、図８〜図１０に示す第２の実施形態と同様の効果が得られるとともに、番組の属性に応じたサムネイルの配列表示も可能であり、種々の方法で録画番組の検索が可能となる。
【００９４】
図１３は図１における表示部２の表示画面２２で表示される録画番組検索画面でのサムネイル配列表示方法の第４の実施形態を示す図であって、３０はコンテンツ表示領域であり、前出図面に対応する部分には同一符号を付けて重複する説明を省略する。
【００９５】
同図において、この第４の実施形態では、先の実施形態でのＸ軸に沿うサムネイル２６，２７の配列に代えて、彎曲状のψ軸に沿ってサムネイル２６，２７を配列するものであり、これにより、表示画面２２の一部、図示する例では、左上隅部分にスペースを形成し、これにコンテンツ表示領域３０を設けるものである。このコンテンツ表示領域３０では、フォーカスサムネイル２５のコンテンツが縮小して表示される。
【００９６】
これ以外の構成は、図５（ａ）に示すリモコン１７ａで操作する図８〜図１０の第２の実施形態と同様であり、あるいは図５（ｂ）に示すリモコン１７ｂで操作する図１１〜図１２の第３の実施形態と同様である。
【００９７】
この第４の実施形態によると、先の実施形態と同様の効果が得られるとともに、フォーカスサムネイル２５の録画番組のコンテンツも提供されることになり、希望する録画番組をより確実に見つけ出すことができる。
【００９８】
なお、以上の各実施形態では、検索対象となる情報を録画番組としたが、本発明はこれに限らず、異なる検索条件で検索できる全ての情報に適用できることはいうまでもない。
【図面の簡単な説明】
【００９９】
【図１】本発明による情報閲覧装置の一実施形態を示すブロック図である。
【図２】図１におけるライブラリに保存されるカテゴリ「録画」の保存情報の一具体例を示す図である。
【図３】図１におけるライブラリに保存されるカテゴリ「録画予約」の保存情報の一具体例を示す図である。
【図４】図１におけるライブラリでのフォルダの一具体例を示す図である。
【図５】図１に示す実施形態に用いられるリモコンの具体例を示す概略正面図である。
【図６】図２に示す録画済み番組のサムネイルと図３（ｂ）に示す録画予定番組のサムネイルとの時系列を示す図である。
【図７】図１における表示部の表示画面で表示される録画番組検索画面でのサムネイル配列表示方法の第１の実施形態を示す図である。
【図８】図１における表示部の表示画面で表示される録画番組検索画面でのサムネイル配列表示方法の第２の実施形態を示す図である。
【図９】図８に示す表示状態で図５（ａ）に示すリモコンの上方向キーを操作して１サムネイル分θ軸に沿って左回り方向にスクロールさせた状態を示す図である。
【図１０】図９に示す表示状態で図５（ａ）に示すリモコンの左方向キーを操作して１サムネイル分Ｘ軸に沿って左方向にスクロールさせた状態を示す図である。図である。
【図１１】図１における表示部の表示画面で表示される録画番組検索画面でのサムネイル配列表示方法の第３の実施形態を示す図である。
【図１２】図１１に示す録画番組検索画面のメニュー画面で所定のメニューを選択したことによる表示状態を示す図である。
【図１３】図１における表示部の表示画面で表示される録画番組検索画面でのサムネイル配列表示方法の第４の実施形態を示す図である。
【図１４】従来の録画番組検索画面の一例を示す図である。
【図１５】従来の録画番組検索画面の他の例を示す図である。
【図１６】従来の録画番組検索画面のさらに他の例を示す図である。
【図１７】図１４，図１５に示す録画番組検索画面で表示内容を拡大したときの状態を示す図である。
【符号の説明】
【０１００】
２  表示部
３  入力部
５  ハードディスク
６  チューナ
９  リモコン入力部
１０  ＥＰＧ
１１  ライブラリ
１２  ファイル
１２ａ  番組情報
１２ｂ  コンテンツ
１２ｃ  サムネイル
１６ａ，１６ｂ，１６ｃ  フォルダ
１７ａ，１７ｂ  リモコン
１８Ｕ  上方向キー
１８Ｄ  下方向キー
１８Ｒ  右方向キー
１８Ｌ  左方向キー
１９  決定キー
２１  ホイール
２２  表示画面
２３  サムネイル
２４  フォーカス枠
２５  フォーカスサムネイル
２６，２７  サムネイル
２８  メニュー画面
２９  カーソル枠
３０  コンテンツ表示領域
【図１】
2007096840.tif 000003
【図２】
2007096840.tif 000004
【図３】
2007096840.tif 000005
【図４】
2007096840.tif 000006
【図５】
2007096840.tif 000007
【図６】
2007096840.tif 000008
【図７】
2007096840.tif 000009
【図８】
2007096840.tif 000010
【図９】
2007096840.tif 000011
【図１０】
2007096840.tif 000012
【図１１】
2007096840.tif 000013
【図１２】
2007096840.tif 000014
【図１３】
2007096840.tif 000015
【図１４】
2007096840.tif 000016
【図１５】
2007096840.tif 000017
【図１６】
2007096840.tif 000018
【図１７】
2007096840.tif 000019